(57)【要約】  ユーザー機器（ＵＥ）からのＲＡＮ経由インターネット行きトラフィックについて、パケットコアネットワークを迂回するための技法がここに記載されている。１つの実施形態によれば、ラジオアクセスネットワーク（ＲＡＮ）のラジオネットワークコントローラ（ＲＮＣ）からデータのパケットを受信したことに応えて、当該パケットがインターネットに向けに宛先指定されているかどうかが判定される。当該パケットは、ユーザー機器（ＵＥ）からＲＡＮを介して発せられている。当該パケットは、インターネットに宛先指定されていれば、パケットコアネットワークのＳＧＳＮ（サービングＧＰＲＳサポートノード）に送られることなく、直接、インターネットに経路決めされる。他の方法及び装置も記載されている。【選択図】図３
2011530267.tif 000002
【特許請求の範囲】
【請求項１】
パケットネットワークのネットワークトラフィックを処理するための機械実行される方法において、
ラジオアクセスネットワーク（ＲＡＮ）のラジオネットワークコントローラ（ＲＮＣ）から、前記ＲＡＮのユーザー機器（ＵＥ）から発せられたデータのパケットを受信したことに応えて、前記パケットがインターネット向けに宛先指定されているかどうかを判定する段階と、
前記パケットがインターネットに宛先指定されていれば、前記パケットを、前記パケットコアネットワークのＳＧＳＮ（サービングＧＰＲＳサポートノード）へ送ることなく、直接、インターネットに経路決めする段階と、から成る方法。
【請求項２】
前記パケットがインターネット向けに宛先指定されていなければ、前記パケットを、前記３ＧＰＰパケットコアネットワークの前記ＳＧＳＮに経路決めする段階を更に含んでいる、請求項１に記載の方法。
【請求項３】
前記パケットがインターネット向けに宛先指定されているかどうかを判定する段階と、前記パケットを、前記パケットコアネットワークを通過させることなく、直接、インターネットに経路決めする段階は、前記ＲＮＣと前記パケットコアネットワークの前記ＳＧＳＮの間に設置されているインターネットアクセスオフロード（ＩＡＯ）ゲートウェイ（ＩＡＯ−ＧＷ）内で行われる、請求項１に記載の方法。
【請求項４】
前記ＲＮＣ経由での前記ＥＵからの通信セッションを確立したいという要求に応えて、前記ＩＡＯ−ＧＷが、前記要求によって指定されているＡＰＮがインターネットサービスに関連付けられているかどうかを判定する段階と、
前記ＲＮＣと前記ＩＡＯ−ＧＷの間にＧＰＲＳトネリングプロトコル（ＧＴＰ）トンネルを確立して、その結果、前記ＧＴＰトンネルを通ってやり取りされるデータが、前記３ＧＰＰパケットコアネットワークの前記ＳＧＳＮを通過することなく、前記ＩＡＯ−ＧＷで、直接、インターネットに経路決めされるようにする段階と、を更に含んでいる、請求項１に記載の方法。
【請求項５】
前記通信セッションの確立中に、前記ＩＡＯ−ＧＷを介して、前記ＳＧＳＮから受信されたＲＡＢ（ラジオアクセスベアラ）割り当て要求の中の第１の輸送層アドレスを第２の輸送層アドレスに置き換える段階であって、前記第１の輸送層アドレスは前記ＳＧＳＮのＩＰアドレスであり、前記第２の輸送層アドレスは前記ＩＡＯ−ＧＷのＩＰアドレスである、アドレスを置き換える段階と、
前記ＵＥの前記ＲＡＢ割り当てを完了し、前記ＲＮＣと前記ＩＡＯ−ＧＷの間に前記ＧＴＰトンネルを作成するために、前記第２の輸送層アドレスを有する前記ＲＡＢ割り当て要求を前記ＲＮＣに伝送する段階と、を更に含んでいる、請求項４に記載の方法。
【請求項６】
前記通信セッションの確立中に、前記ＩＡＯ−ＧＷ内で、前記ＧＧＳＮから前記ＳＧＳＮ経由で受信されたＰＤＰ（パケットデータプロトコル）コンテキストアクティブ化の受け入れメッセージの中の第１のＩＰアドレスを、第２のＩＰアドレスに置き換える段階であって、前記第１のＩＰアドレスは前記ＧＧＳＮによって割り付けられているユーザーアプリケーション層ＩＰアドレスであり、前記第２のＩＰアドレスは、前記ＩＡＯ−ＧＷによって割り付けられているユーザーアプリケーション層ＩＰアドレスである、アドレスを置き換える段階と、
要求されているサービスのＰＤＰコンテキスト作成手続きを完了するために、前記第２のＩＰアドレスを有する前記ＰＤＰコンテキストアクティブ化の受け入れメッセージを前記ＲＮＣに伝送する段階と、を更に含んでいる、請求項４に記載の方法。
【請求項７】
前記ＧＴＰトンネルを横断してゆく以降のデータは、前記パケットコアネットワークの前記ＳＧＳＮ又は前記ＧＧＳＮにアクセスすることなくインターネットにアクセスするために、前記ＩＡＯ−ＧＷと前記通信セッションによって指定された前記ＡＰＮに関連付けられている対応する宛先との間に経路決めされる、請求項４に記載の方法。
【請求項８】
前記ＧＴＰトンネルを横断してゆく以降のデータは、前記パケットコアネットワークの前記ＳＧＳＮ又は前記ＧＧＳＮにアクセスすることなくインターネットにアクセスするために、前記ＩＡＯ−ＧＷと前記通信セッションによって指定された前記ＡＰＮに関連付けられている対応する宛先との間に経路決めされる、請求項６に記載の方法。
【請求項９】
命令を記憶させた機械読み取り可能記憶媒体において、プロセッサによって実行されると、前記プロセッサに、データネットワークのネットワークトラフィックを処理するための方法であって、
ラジオアクセスネットワーク（ＲＡＮ）のラジオネットワークコントローラ（ＲＮＣ）から、前記ＲＡＮのユーザー機器（ＵＥ）から発せられたデータのパケットを受信したことに応えて、前記パケットがインターネット向けに宛先指定されているかどうかを判定する段階と、
前記パケットがインターネットに宛先指定されていれば、前記パケットを、前記パケットコアネットワークのＳＧＳＮ（サービングＧＰＲＳサポートノード）へ送ることなく、直接、インターネットに経路決めする段階と、から成る方法、を行わせる命令を記憶させた機械読み取り可能記憶媒体。
【請求項１０】
前記方法が、前記パケットがインターネット向けに宛先指定されていなければ、前記パケットを、前記パケットコアネットワークの前記ＳＧＳＮに経路決めする段階を更に含んでいる、請求項９に記載の機械読み取り可能記憶媒体。
【請求項１１】
前記パケットがインターネット向けに宛先指定されているかどうかを判定する段階と、前記パケットを、前記パケットコアネットワークを通過させることなく、直接、インターネットに経路決めする段階は、前記ＲＮＣと前記３ＧＰＰパケットコアネットワークの前記ＳＧＳＮの間に結合されているインターネットアクセスオフロード（ＩＡＯ）デバイス内で行われる、請求項９に記載の機械読み取り可能記憶媒体。
【請求項１２】
前記方法が、
前記ＲＮＣ経由での前記ＥＵからの通信セッションを確立したいという要求に応えて、前記ＩＡＯ−ＧＷが、前記要求によって指定されているＡＰＮがインターネットのアクセスポイントに関連付けられているかどうかを判定する段階と、
前記ＲＮＣと前記ＩＡＯ−ＧＷの間にＧＰＲＳトネリングプロトコル（ＧＴＰ）トンネルを確立して、その結果、前記ＧＴＰトンネルを通ってやり取りされるデータが、前記パケットコアネットワークの前記ＳＧＳＮを通過することなく、直接、インターネットを相手に経路決めされるようにする段階と、を更に含んでいる、請求項９に記載の機械読み取り可能記憶媒体。
【請求項１３】
前記方法が、
前記通信セッションの確立中に、前記ＩＡＯ−ＧＷを介して、前記ＳＧＳＮから受信されたＲＡＢ（ラジオアクセスベアラ）割り当て要求の第１の輸送層アドレスを第２の輸送層アドレスに置き換える段階であって、前記第１の輸送層アドレスは前記ＳＧＳＮによって割り付けられており、前記第２の輸送層アドレスは前記ＩＡＯ−ＧＷによって割り付けられている、アドレスを置き換える段階と、
前記ＵＥの前記ＲＡＢ割り当てを完了するために、前記第２の輸送層アドレスを有する前記ＲＡＢ割り当て要求を前記ＲＮＣに伝送する段階と、を更に含んでいる、請求項１２に記載の機械読み取り可能記憶媒体。
【請求項１４】
前記方法が、
前記通信セッションの確立中に、前記ＩＡＯ−ＧＷ内で、前記ＧＧＳＮから前記ＳＧＳＮ経由で受信されたＰＤＰ（パケットデータプロトコル）コンテキストアクティブ化の受け入れメッセージの第１のＩＰアドレスを、第２のＩＰアドレスに置き換える段階であって、前記第１のＩＰアドレスは前記ＧＧＳＮによって割り付けられており、前記第２のＩＰアドレスは前記ＩＡＯ−ＧＷによって割り付けられている、アドレスを置き換える段階と、
前記ＲＮＣと前記ＩＡＯ−ＧＷの間に前記ＧＴＰトンネルを作成するために、前記第２のＩＰアドレスを有する前記ＰＤＰコンテキストアクティブ化の受け入れメッセージを前記ＲＮＣに伝送する段階と、を更に含んでいる、請求項１２に記載の機械読み取り可能記憶媒体。
【請求項１５】
前記ＧＴＰトンネルを横断してゆく以降のデータは、前記パケットコアネットワークの前記ＳＧＳＮ又は前記ＧＧＳＮにアクセスすることなくインターネットにアクセスするために、前記ＩＡＯ−ＧＷと前記通信セッションによって指定された前記ＡＰＮに関連付けられている対応するアクセスポイントとの間に経路決めされる、請求項１３に記載の機械読み取り可能記憶媒体。
【請求項１６】
ラジオアクセスネットワーク（ＲＡＮ）のラジオネットワークコントローラ（ＲＮＣ）から、前記ＲＡＮのユーザー機器（ＵＥ）から発せられたデータのパケットを受信したことに応えて、前記パケットがインターネット向けに宛先指定されているかどうかを判定するためのパケット検閲部と、
前記パケットがインターネット向けに宛先指定されていると判定されれば、前記パケットを、前記パケットコアネットワークのＳＧＳＮ（サービングＧＰＲＳサポートノード）へ送ることなく、直接、インターネットに経路決めするための、前記パケット検閲部に結合されているパケットルータと、を備えている装置。
【請求項１７】
前記パケットルータは、前記パケットがインターネット向けに宛先指定されていないと判定されれば、前記パケットを、前記パケットコアネットワークの前記ＳＧＳＮに経路決めするよう構成される、請求項１６に記載の装置。
【請求項１８】
前記ＲＡＮの前記ＲＮＣからパケットを受信するための第１のインターフェースと、
前記パケットがインターネット行きであると判定された場合に前記パケットをインターネットへ伝送するための第２のインターフェースと、
前記パケットがインターネット行きでないと判定された場合に前記パケットを前記パケットコアネットワークの前記ＳＧＳＮへ伝送するための第３のインターフェースと、を更に備えている、請求項１６に記載の装置。
【請求項１９】
前記ＲＮＣ経由での前記ＥＵからの通信セッションを確立したいという要求に応えて、前記パケット検閲部は、前記要求によって指定されているＡＰＮがインターネットサービスに関連付けられているかどうかを判定するように構成され、前記通信セッション内でやり取りされる以降のデータは、前記要求されているＡＰＮに関連付けられているインターネット行きサービスである、請求項１６に記載の装置。
【請求項２０】
１つ又はそれ以上のＡＰＮのリストを記憶するための記憶部を更に備えており、前記パケット検閲部は、前記要求の前記ＡＰＮを、前記１つ又はそれ以上のＡＰＮのリストに対して比較するように構成され、前記要求されているＡＰＮが前記記憶部からのリスト掲載のＡＰＮのうちの１つと一致すれば、前記要求されているＡＰＮのトラフィックは直接インターネットへ方向転換される、請求項１９に記載の装置。
【請求項２１】
ユーザーが、前記１つ又はそれ以上のＡＰＮのリストを構成して、前記パケットコアネットワークを通過することなく直接インターネットにアクセスするための特定のＡＰＮを有効にしたり無効にしたりできるようにするためのユーザーインターフェースを更に備えている、請求項１９に記載の装置。
【発明の詳細な説明】
【技術分野】
【０００１】
本発明は、概括的には、３ＧＰＰネットワーク（ＧＰＲＳ一般パケットラジオサービス及びＧＰＲＳのＵＭＴＳ及びそれ以降に対する進化型）に関する。より厳密には、本発明は、ユーザー機器からラジオアクセスネットワークを使用してインターネットにアクセスするときに３ＧＰＰパケットコアネットワークを迂回するための方法に関する。
【０００２】
（関連出願）
本出願は、２００８年８月４日出願の米国仮特許出願第６１／１３７，９１５号の優先権を主張し、同仮特許出願をそっくりそのまま参考文献としてここに援用する。
【背景技術】
【０００３】
ＧＰＲＳ／ＵＭＴＳは、ＧＳＭ移動局へのパケット交換データサービスを提供するＧＳＭ標準の進化型である。パケット交換データサービスは、データの塊を伝送するため、又は断続的又はバースト的な性質のデータ転送のために使用されている。３ＧＰＰパケットサービスの典型的な用途として、インターネットブラウジング、ワイヤレス電子メール、及びクレジットカード処理などが挙げられる。
【０００４】
図１は、典型的な３ＧＰＰパケットアーキテクチャを示しているブロック線図である。図１を参照すると、ユーザー機器（ＵＥ）１０１は、ラジオアクセスネットワーク（ＲＡＮ）１０３のラジオネットワークコントローラ（ＲＮＣ）１０２に、通信可能に結合されている。インターネット１０７及び／又は運営者サービスノード１０８の様な他のネットワークにアクセスするためには、ＵＥ１０１は、３ＧＰＰパケットコアネットワーク１０６を通過しなくてはならない。典型的には、３ＧＰＰパケットコアネットワーク１０６は、サービングＧＰＲＳサポートノード（ＳＧＳＮ）１０４とゲートウェイＧＰＲＳサポートノード（ＧＧＳＮ）１０５を含んでいる。これらのサポートノードＳＧＳＮ及びゲートウェイノードＧＧＳＮは、ユーザー端末（又はソース移動局）と宛先との間で通信を中継する。
【０００５】
典型的には、階層構造（図示せず）式に、ＧＧＳＮには多数のＳＧＳＮが関連付けられ、ＳＧＳＮには多数のＲＮＣが関連付けられ、ＲＮＣには多数のＵＥが関連付けられてゆくことに留意されたい。こうして、ＵＥからのトラフィックが増加すると、階層構造内のより高位のノード（例えば、ＳＧＳＮ及び／又はＧＧＳＮ）に課されるトラフィックは指数関数的に増加することになる。
【０００６】
移動広帯域データトラフィックパターンの分析に基づくと、ＵＥからのトラフィックの大多数は、セッションが従来型の移動パケットコアに引留されることから恩恵を受けないインターネット行きトラフィックである。インターネット行きトラフィックにＳＧＳＮ及びＧＧＳＮを横断させようとすれば、ＳＧＳＮ／ＧＧＳＮリソースを使用するため、インターネットトラフィックへの遅延がいたずらに増加することになる。移動広帯域トラフィックの増加に伴い、既存のアーキテクチャの造り付けの階層では、トラフィックの遊動的及びインターネット的な性質が活用されることなく、ＳＧＳＮ、ＧＧＳＮ、及びＲＡＮからコアネットワークへの伝送ネットワークへの投資が嵩む結果となる。
【先行技術文献】
【特許文献】
【０００７】
【特許文献１】米国仮特許出願第６１／１３７，９１５号
【発明の概要】
【０００８】
ユーザー機器（ＵＥ）からのＲＡＮ経由インターネット行きトラフィックについて、パケットコアネットワークを迂回するための技法がここに記載されている。１つの実施形態によれば、ラジオアクセスネットワーク（ＲＡＮ）のラジオネットワークコントローラ（ＲＮＣ）からデータのパケットを受信したことに応えて、当該パケットがインターネット向けに宛て先指定されているかどうかが判定される。当該パケットは、ユーザー機器（ＵＥ）からＲＡＮを介して発せられている。当該パケットは、それがインターネットに宛先指定されていれば、パケットコアネットワークのＳＧＳＮ（サービングＧＰＲＳサポートノード）に送られることなく、直接、インターネットに経路決めされる。
【０００９】
本発明の他の特徴は、添付図面並びに以下に続く詳細な説明から明らかとなるであろう。
【００１０】
本発明は、限定するわけではないが一例として添付図面の各図に示されており、図中、同様の符号は類似の要素を表している。
【図面の簡単な説明】
【００１１】
【図１】典型的な３ＧＰＰパケットアーキテクチャを示しているブロック線図である。
【図２】１つの実施形態による３ＧＰＰパケットシステムを示しているブロック線図である。
【図３】本発明の１つの実施形態による、３ＧＰＰデータパケットを経路決めするためのプロセスを示している流れ線図である。
【図４Ａ】本発明の１つの実施形態による、データパケットを取り扱うための処理の流れを示しているトランザクション線図である。
【図４Ｂ】本発明の代わりの実施形態による、データパケットを取り扱うための処理の流れを示しているトランザクション線図である。
【図５】本発明の１つの実施形態による、ＩＡＯ−ＧＷを示しているブロック線図である。
【発明を実施するための形態】
【００１２】
ユーザー機器（ＵＥ）からのＲＡＮ経由インターネット行きトラフィックについて、３ＧＰＰコアネットワークを迂回するための技法をここに記載する。以下の記述には、本発明の実施形態のより完全な説明がもたらされるように、数多くの詳細事項を示している。しかしながら、当業者には、本発明の実施形態がこれらの特定の詳細事項なしに実践されてもよいことが明らかとなるであろう。場合によっては、本発明の実施形態が曖昧になるのを避けるために、よく知られている構造及びデバイスは、詳細にではなくブロック線図の形式で示している。
【００１３】
本明細書での「１つの実施形態」又は「或る実施形態」という言及は、当該実施形態に関連付けて記述されている特定の特徴、構造、又は特性が、本発明の少なくとも１つの実施形態に含まれていることを意味する。本明細書の様々な箇所に「１つの実施形態では」という句が登場しているが、同句は必ずしも全てが同一の実施形態を指しているとは限らない。
【００１４】
本発明の特定の実施形態によれば、ＲＡＮからのトラフィックで、インターネットへ指定されているトラフィックは、受信されると、３ＧＰＰパケットコアネットワークのＳＧＳＮ及び／又はＧＧＳＮの様な特定の構成要素を通過する必要なく（例えば迂回して）、直接、インターネットに経路決めされる。１つの実施形態では、インターネットアクセスポイントネーム（ＡＰＮ）オフロード（ＩＡＯ）デバイス（ここではＩＡＯゲートウェイ（ＩＡＯ−ＧＷ）又はインターネットブレイクアウトデバイスとも呼ばれている）が実装され、インターネットの存在点又は運営者のネットワークトポロジーに基づく任意の他の好都合な点の付近に設置されている。この出願全体を通し、ＩＡＯ−ＧＷは、ＲＡＮの端にＲＮＣと同一場所に設置されているものとして記述されているが、その様なＩＡＯ−ＧＷは同様に他の場所に設置されていてもよい。また、ＩＡＯ−ＧＷは、ＲＮＣと一体化されていてもよいし、又は代わりに、ＩＡＯ−ＧＷはＳＧＳＮと一体化されていてもよい。
【００１５】
１つの実施形態によれば、ＩＡＯ−ＧＷは、運営者のサービスに向けて宛先指定されているトラフィックを、インターネット向けに宛先指定されているトラフィックから見分ける知能を含んでいる。それに応えて、インターネット行きトラフィックは、インターネットアクセスポイント（例えば、最寄りのインターネットアクセスポイント）へ方向転換され、一方、他のトラフィックは、運営者のコアネットワークに向かう、即ち３ＧＰＰパケットコアネットワークのＳＧＳＮまでの、自身の経路を進んでゆくことを許容される。結果として、トラフィックの大多数はインターネット行きであるため、３ＧＰＰパケットコアネットワークへのアクセス並びにＳＧＳＮ及びＧＧＳＮのリソース利用は著しく減少する。
【００１６】
図２は、１つの実施形態による３ＧＰＰパケットシステムを示しているブロック線図である。図２を参照すると、図１と同様に、システム２００は、ラジオアクセスネットワーク（ＲＡＮ）２０３のラジオネットワークコントローラ（ＲＮＣ）２０２に通信可能に結合されているユーザー機器（ＵＥ）２０１を含んでいる。先行技術では、インターネット２０７及び／又は運営者サービスノード２０８の様な他のネットワークにアクセスするためには、ＥＵ２０１は、３ＧＰＰパケットコアネットワーク２０６を通過しなくてはならない。典型的には、３ＧＰＰパケットコアネットワーク２０６は、サービングＧＰＲＳサポートノード（ＳＧＳＮ）２０４と、ゲートウェイＧＰＲＳサポートノード（ＧＧＳＮ）２０５と、ホームロケーションレジスタ（ＨＬＲ）２０９を含んでいる。これらのサポートノードＳＧＳＮ２０４とゲートウェイノードＧＧＳＮ２０５には、ユーザー端末（又はソース移動局）と宛先ノード（例えば、インターネットのサーバー又は別の移動局）との間で通信を中継する機能がある。この場合も同様に、階層構造（図示せず）式に、ＧＧＳＮには多数のＳＧＳＮが関連付けられ、ＳＧＳＮには多数のＲＮＣが関連付けられ、ＲＮＣには多数のＵＥが関連付けられてゆく可能性があることに留意されたい。
【００１７】
ＳＧＳＮ２０４は、ＵＥ２０１又はＧＧＳＮ２０５との間でデータ伝送を達成する。例えば、ＳＧＳＮ２０４は、ＲＮＣ２０２からアップリンクセッションを収集し、ゲートウェイノードＧＧＳＮ２０５からＲＮＣ２０２に向けて送り出されたダウンリンクセッションを配信する。ＳＧＳＮ２０４は、ＳＧＳＮ２０４とＧＧＳＮ２０５の間のパケットサービスをトネリング（ＧＴＰ−ＧＰＲＳトネリングプロトコル）によって管理する。ＳＧＳＮ２０４は、ホームロケーションレジスタ（ＨＬＲ）２０９に記憶されている加入者プロフィールを受信し、常にそのコピーを保有しておく。加入者プロフィールは、加入しているサービス（インターネット、運営者のウォールドガーデンなど）についての情報を所有している。
【００１８】
ＧＧＳＮ２０５は、インターネット１０７、運営者サービスノード２０８の様な外部データパケットネットワークへの論理的インターフェースとして機能し、コアネットワーク２０６とその様な外部パケットデータネットワーク１０７、２０８との間を結合するよう機能する。より具体的には、ＧＧＳＮ２０５は、ＳＧＳＮ２０４からアップリンクセッションを収集し、インターネット１０７又は運営者サービス２０８にアクセスする。３ＧＰＰパケットコアネットワーク２０６のＧＧＳＮ２０５は、ダウンリンクセッション用にＳＧＳＮ２０４までのトンネルを設定する。
【００１９】
ＨＬＲ２０９は、移動局の登録済み所在地情報を含む加入者プロフィールを記憶するためのデータベースノードであり、サポートノードＳＧＳＮ２０４からの要求があり次第、同ノードへ加入者データのコピーを届ける。より具体的には、ＨＬＲ２０９は、移動体加入者のそれぞれについての永久的な加入者データを記憶しており、その様なデータには、ＰＳＴＮ付番プランを使用することによって専有の移動体加入を指定する移動局ＩＳＤＮ番号（ＭＳＩＳＤＮ）や、それぞれの加入者に割り付けられていて移動ネットワークシステムでの信号伝送時の識別に使用される専有の身分証明又はＩＤである国際移動体加入者身分証明（ＩＭＳＩ）が含まれる。
【００２０】
ＨＬＲ２０９は、ＶＬＲ（ビジターロケーションレジスタ）のアドレスに対応する現在加入者所在地を含むデータもその中に記憶している。それは、移動体加入者一人一人について、当該移動体加入者に許容されているサービスのリストを記憶している。
【００２１】
更に、１つの実施形態によれば、ＧＰＲＳコアネットワーク２０６のＳＧＳＮ２０４とＲＡＮ２０３のＲＮＣ２０２に、ＩＡＯ−ＧＷ２１５が通信可能に結合されている。例示を目的として、この実施例では、ＩＡＯ−ＧＷ２１５はＳＧＳＮ２０４とＲＮＣ２０３の間に実装されている。しかしながら、ＩＡＯ−ＧＷ２１５は、他の場所に設置されていてもよい。１つの実施形態では、ＩＡＯ−ＧＷ２１５は、ＵＥ／ＲＮＣとＳＧＳＮの間を流れる制御トラフィックを翻訳するように構成されている。特に、ＩＡＯ−ＧＷ２１５は、制御トラフィックを調べて、ＵＥ２０１が、インターネット２０７との通信経路を確立しようとしているのか、それとも運営者サービス２０８との通信経路を確立しようとしているのかを判定するように構成されている。
【００２２】
トラフィックが、運営者のサービス２０８向けであれば、制御トラフィックと関連付けられているデータトラフィックの両方が、運営者のサービス２０８へ行き着くために、ＧＧＳＮ２０５へ転送されるように経路２０９経由でＳＧＳＮ２０４に到達できるようにされる。この筋書きでは、ＩＰアドレス（運営者のサービス２０８に対しＵＥ２０１を表しているもの）はＧＧＳＮ２０５によって割り付けられており、ＩＰルータは、このＩＰアドレスに宛先指定されている全てのトラフィックをＧＧＳＮ２０５に経路決めするように構成され、するとＧＧＳＮ２０５は、ＳＧＳＮ２０４とＲＮＣ２０２を経由してＵＥ２０１にデータをトンネルする。こうして、ＩＡＯ−ＧＷ２１５は、ＵＥ２０１と３ＧＰＰパケットコアネットワーク２０６の間で、ＵＥ２０１をネットワーク２０６に登録するためにやり取りされる制御トラフィックにも、ＵＥ２０１とネットワーク２０６の間での相互認証にも干渉しない。
【００２３】
トラフィックがインターネット２０７向けに宛先指定されていると判定された場合、ＩＡＷ  ＧＷ２１５は、当該トラフィックを、３ＧＰＰパケットコアネットワーク２０６のＳＧＳＮ２０４及び／又はＧＧＳＮ２０５を迂回しながら経路２１０経由でインターネット２０７に向かわせる。こうして、インターネット行きトラフィックのみが直接インターネット２０７に方向転換されることになり、一方で残りのトラフィックは３ＧＰＰパケットコアネットワーク２０６に進入することを許容されることになる。
【００２４】
１つの実施形態では、ＵＥ２０１は、インターネット２０７との接続を確立しようとするとき、定義済みのＡＰＮを使用して要求を送り、するとＩＡＯ−ＧＷ２１５が介入する。具体的には、ＩＡＯ−ＧＷ２１５は、当該要求がＳＧＳＮ２０４経由でＧＧＳＮ２０５へ進行するのを許容する。ＧＧＳＮ２０５は、応答を生成し、それをＵＥ２０１に向けて送る。ＧＧＳＮ２０５からの応答には、ＧＧＳＮ２０５のＩＰアドレスプールからの、ＧＧＳＮ２０５によって割り付けられているＩＰアドレスが入っており、そのＩＰアドレスによって、更なるトラフィックはＧＧＳＮ２０５に経路決めされてゆくことになる。これに応えて、ＩＡＯ−ＧＷ２１５は、ＧＧＳＮ２０５によって割り付けられているこのＩＰアドレスを、ＩＡＯ−ＧＷ２１５によって割り付けられているＩＰアドレスに差し替える。ＵＥ２０１は、インターネット２０７にトラフィックを送るときに、このアドレスを使用する。結果として、（インターネット２０７への）更なるトラフィックは、３ＧＰＰパケットコアネットワーク２０６のＳＧＳＮ２０４及び／又はＧＧＳＮ２０５を迂回してＩＡＯ−ＧＷ２１５に経路決めされることになる。
【００２５】
１つの実施形態によれば、特定のインターネット行きトラフィックを、３ＧＰＰパケットコアネットワーク２０６を通過させることなく直接インターネット２０７へ方向転換させるべきか否かは、例えば管理者によって、特定的に構成されてもよい。１つの実施形態では、ＩＡＯ−ＧＷ２１５は、方向転換させられるインターネット行きトラフィックに関連付けられているＡＰＮのリストを所有している表又はデータベース２１１の様な構成情報を維持している。ＡＰＮネームは、典型的に加入者の情報に関する表又はデータベース２１２を維持しているＨＬＲ２０９からの情報から複製されてもよい。
【００２６】
こうして、インターネット行きトラフィックがＩＡＯ−ＧＷ２１５で受信されると、ＩＡＯ−ＧＷ２１５は、トラフィックを調べて、当該トラフィックの関連付けられているＡＰＮが表２１１に載っているかどうかを判定する。表２１１の中に対応するＡＰＮが見つけられれば、当該トラフィックは３ＧＰＰパケットコアネットワーク２０６を迂回してインターネット２０７へ方向転換される。そうでなければ、トラフィックは３ＧＰＰパケットコアネットワーク２０６に進入するのを許容されることになる。１つの実施形態では、その様な設定は、管理者によって設定された特定の構成次第で、有効にもされれば無効にもされ得る。例えば、特定のＡＰＮのインターネットブレイクアウト経路決めは、対応するエントリを表２１１から削除することによって無効にすることもできるし、或いは代わりに、当該エントリに関連付けられている属性を、その様な属性を指し示すための所定の値に設定してもよい。もう１つの実施形態では、ブレイクアウト経路決めは、所定の期間に亘って設定されており、その期間の後、経路決めは自動的に無効にされる。
【００２７】
この出願全体を通して、アクセスネットワーク及びゲートウェイデバイスの一例として、３Ｇ  ＲＡＮ及びＲＮＣが使用されていることに留意されたい。しかしながら、本発明は、これらの構成要素を有するネットワークでの使用に限定されない。他の構成を適用することもできる。例えば、ＲＡＮ２０３はフェムトセルで、ＲＮＣ２０２はフェムトゲートウェイデバイスであってもよい。
【００２８】
図３は、本発明の１つの実施形態による、ＧＰＲＳデータパケットを経路決めするためのプロセスを示しているフロー線図である。プロセス３００は処理論理部によって行うことができ、処理論理部は、ソフトウェア、ハードウェア、又は両方の組合せを含んでいてもよいことに留意されたい。例えば、プロセス３００は、図２のＩＡＯ−ＧＷ２１５によって行われてもよい。
【００２９】
図３を参照すると、ブロック３０１で、３ＧＰＰネットワークのＲＡＮのＲＮＣからパケットが受信されるが、このとき、パケットは、ＲＮＣに関連付けられているＵＥから始められていてもよい。ブロック３０２で、処理論理部は、当該パケットがインターネットの宛先ノードに到達しようとしている（例えば、インターネット行きトラフィック）かどうかを判定する。１つの実施形態では、パケットは、当該パケットに関連付けられているプロトコル、ソースアドレス、及び／又は宛先アドレスの組合せに基づいて調べられてもよい。１つの実施形態では、ＩＡＯ−ＧＷは、全ての制御トラフィックの真ん中に座して、トラフィックがインターネット行きトラフィックであるかどうか、即ちサービスはインターネット行きか否かを、識別することができる。この決定はＡＰＮに基づく。ＩＡＯ−ＧＷは、データパケットを受信したとき、データパケットがインターネット行きトラフィックであるか否かを、宛先ＩＰアドレス（及びセッションＩＤ）によって知る。
【００３０】
パケットがインターネット行きであると判定されると、ブロック３０３で、当該パケットは、対応する３ＧＰＰパケットコアネットワーク（例えば、ＳＧＳＮ及びＧＧＳＮ）を通過することなく、直接、インターネットの宛先ノードに経路決めされる。そうでなければ、ブロック３０４で、当該パケットは、３ＧＰＰ仕様に則り、３ＧＰＰパケットコアネットワークのＳＧＳＮに経路決めされる。同様に他のオペレーションが行われてもよい。
【００３１】
図４Ａは、データパケットを取り扱うための処理の流れを示しているトランザクション線図である。この場合は、ユーザーは、運営者サービス（即ち、非インターネットサービス）を要求しており、ＩＡＯ  ＧＷは、ＵＥのトラフィックをブレイクアウトしてそれを直接インターネットに送ることはしない。代わりに、ＵＥからのトラフィックは、ＳＧＳＮ及びＧＧＳＮを通過する。
【００３２】
図４Ａを参照すると、ＵＥ４０１が、インターネット又は運営者のサービスノードの様な外部ネットワークのノードにアクセスするため接続を確立しようとするとき、ＵＥ４０１は、ＡＰＮを含んでいるＰＤＰ（パケットデータプロトコル）コンテキスト要求を生成し、当該要求をＲＮＣ４０２に送る。ＰＤＰコンテキスト要求は、ＳＧＳＮとＧＧＳＮの両方に存在するデータ構造であって、加入者がアクティブなセッションを有しているときには加入者のセッション情報を含んでいるデータ構造である、ＰＤＰコンテキストを含んでいる。ＵＥは、３ＧＰＰを使用したい場合、最初にＰＤＰコンテキストを添付し、次にそれをアクティブにする。これにより、加入者が現在訪れているＳＧＳＮ及び加入者アクセスポイントとして機能しているＧＧＳＮにＰＤＰコンテキストデータ構造が割り付けられる。記録されているデータは、加入者のＩＰアドレス及びＳＧＳＮとＧＧＳＮについての加入者のトンネル終点ＩＤ（ＴＥＩＤ）に関する情報を含んでいる。更に、アクセスポイントが選択され、ＡＰＮが確定される。
【００３３】
ＩＡＯ−ＧＷ４０３が、ＲＮＣからトランザクション４０６−４０７を経て回送されてきたＰＤＰコンテキスト要求を受信したとき、ＩＡＯ−ＧＷ４０３は、その様な要求がインターネットへアクセスすることであるか否かを、関連付けられているＡＰＮを調べることによって判定する。ＩＡＯ−ＧＷ４０３は、確立させるべき接続はインターネット行きではないと判定し、関連付けられているＡＰＮは、運営者のサービスか又は他のトラフィック（例えば、インターネットトラフィック）であって運営者がＩＡＯ  ＧＷでブレイクアウトしないと決めたトラフィックを識別している。これらの場合には、ＩＡＯ−ＧＷ４０３は、このセッションを非ＩＡＯとしてマークし、当該要求を修正なしにＳＧＳＮ４０４に中継し、ＳＧＳＮ４０４は、当該要求を、トランザクション４０８−４０９を介してＧＧＳＮ４０５へ送る。
【００３４】
要求に応えて、ＧＧＳＮ４０５は、自身のＩＰアドレスプールからの、要求されているＡＰＮに適切な割り付けられているＩＰアドレスで応答し、当該応答を、トランザクション４１０を介してＳＧＳＮ４０４に送る。当該応答に応えて、ＳＧＳＮ４０４は、ＳＧＳＮ４０４によって割り付けられている輸送層アドレスを有するＲＡＢ（ラジオアクセスベアラ）割り当て要求をＩＡＯ−ＧＷ４０３経由でトランザクション４１１−４１２を介してＲＮＣ４０２に送る。トランザクション４１１−４１２では、ここでも同様に、ＩＡＯ−ＧＷ４０３は単に中継デバイスとして働く。ＲＡＢ割り当てが完了してしまえば、ＰＤＰコンテキストのアクティブ化は、ＧＧＳＮ４０５によって割り付けられているＩＰアドレスを使用し、トランザクション４１３−４１５を経て完了する。
【００３５】
こうして、セッションセットアップオペレーションが行われ、その間、ＩＡＯ−ＧＷ４０３は中継デバイスとして働く。結果として、ＲＮＣ４０２とＳＧＳＮ４０４の間にはＧＴＰトンネルが作成され、当該セッションの以降のデータはＲＮＣ４０２とＳＧＳＮ４０４の間でＧＴＰトンネルを経由してやり取りされる。即ち、全トラフィックは３ＧＰＰパケットコアネットワークのＳＧＳＮ４０４とＧＧＳＮ４０５を通過しなくてはならないということである。ＩＡＯ−ＧＷ４０３は、単に遅延デバイスとして働く。
【００３６】
図４Ｂは、本発明の代わりの実施形態による、ＩＡＯ事例での制御パケットを取り扱うための処理の流れを示しているトランザクション線図である。この実施形態では、ＵＥ４０１は、接続を確立したいという要求を送り、当該要求がトランザクション４０６−４０７を経てＩＡＯ−ＧＷ４０３に受信されたとき、図４Ａに示されている処理の流れと同様に、ＩＡＯ−ＧＷ４０３は、当該要求がインターネット向けであるか否かを、例えば当該要求に関連付けられているＡＰＮを調べることによって判定する。
【００３７】
当該要求がインターネット向けであると判定された場合、ＲＡＢ割り当ての要求がＳＧＳＮ４０４からトランザクション４１１を経て受信されると、ＩＡＯ−ＧＷ４０３は、トランザクション４１２中に、ＳＧＳＮ４０４によって割り付けられている輸送層アドレスをＩＡＯ−ＧＷ４０３によって割り付けられているものと差し替えるように構成される。これにより、事実上、３ＧＰＰ仕様で記述されている制御面のＳＧＳＮはユーザー面ＳＧＳＮから切り離される。ここで、ＳＧＳＮ４０４は制御面ＳＧＳＮとなり、一方ＩＡＯ−ＧＷ４０３はユーザー面ＳＧＳＮとなる。また、ＲＮＣ４０２とＳＧＳＮ４０４は、これが起こっていることを知らず、よって、ＲＮＣ４０２とＳＧＳＮ４０４には少しの衝撃もない。結果として、ＲＮＣ４０２とＳＧＳＮ４０４では設定を変える必要は一切ない。
【００３８】
同様に、ＩＡＯ−ＧＷ４０３が、ＳＧＳＮ４０４からトランザクション４１３を経て、ＰＤＰコンテキストのアクティブ化を受け入れる応答を受信すると、ＩＡＯ−ＧＷ４０３は、ＧＧＳＮ４０５によって割り付けられているＩＰアドレスをＩＡＯ−ＧＷ４０３によって内部的に割り付けられているＩＰアドレスに差し替えるように構成され、当該応答をＲＮＣ４０２に送る。結果として、ＧＴＰトンネルが、図４Ａに説明されているＲＮＣとＳＧＳＮの間ではなくて、ＲＮＣ４０２とＩＡＯ−ＧＷ４０３の間に作成され、当該セッションの以降のインターネットデータは、ＲＮＣ４０２とＩＡＯ−ＧＷ４０３の間でやり取りされる。これには、事実上、制御面ＧＧＳＮをユーザー面ＧＧＳＮから切り離す効果がある。ここで、ＧＧＳＮ４０５は制御面ＧＧＳＮとなり、一方、ＩＡＯ−ＧＷ４０３は、ユーザーＩＰアドレスを割り当てるユーザー面ＧＧＳＮとなる。この仕組みは、シャーシ内での荷重分担のために数個のＧＧＳＮをどの様に実装するかということに似ている。この構成の下では、ＲＮＣ４０２、ＳＧＳＮ４０４、又はＧＧＳＮ４０５には一切変更が必要ない。
【００３９】
図５は、本発明の１つの実施形態によるＩＡＯ−ＧＷを示しているブロック線図である。例えば、ＩＡＯ−ＧＷ５００は、図２のＩＡＯ−ＧＷ２１５のポートとして実装されていてもよい。図２を参照すると、ＩＡＯ−ＧＷ５００は、限定するわけではないが、１つ又はそれ以上のラインカード５０２−５０４（インターフェースカード又はユーザー面とも呼ばれる）に、メッシュネットワーク、相互接続、バス、又はそれらの組合せであってもよいメッシュ５０５を介して、通信可能に結合されている制御カード５０１（制御面とも呼ばれている）を含んでいる。ラインカード５０３−５０４のそれぞれは、インターフェース５０６−５０８の様な１つ又はそれ以上のインターフェース（ポートとも呼ばれる）にそれぞれ関連付けられている。それぞれのラインカードは、パケットを、制御カード５０１によって設定されている構成（経路決め表）に応じて対応するインターフェースを経由して経路決めするための、経路決め機能ブロック（例えば、ブロック５１３−１５１）を含んでいる。例示を目的として、インターフェース５０６はＲＡＮのＲＮＣに結合され、インターフェース５０７はインターネットに結合され、インターフェース５０８は運営者サービス用の３ＧＰＰパケットコアネットワークのＳＧＳＮに結合されるものと仮定する。
【００４０】
１つの実施形態によれば、制御カード５０１は、構成ユニット５０９と、パケット検閲部５１０と、ＩＰアドレスプールデータベース５１１と、構成データベース５１２を含んでいる。１つの実施形態では、データベース５１２は、どのトラフィックノードのＡＰＮを、３ＧＰＰパケットコアネットワークを迂回して直接インターネットに方向転換させるべきかに関する情報を記憶するために使用されている。上述の様に、管理者は、どのＡＰＮをインターネットブレイクアウト用とするかを、ユーザーインターフェース（例えば、コマンドラインインターフェース（ＣＬＩ））５１６を介して構成する又は指定することができる。ユーザーインターフェース５１６を通して、管理者は、インターネットブレイクアウト用の特定のＡＰＮを（ＡＰＮの削除又は追加により）有効にする及び／又は無効にすることもできる。
【００４１】
パケット検閲部５１０は、接続を確立するためのセッション開始要求制御パケットを検閲して、要求に提供されているＡＰＮ値とデータベース５１２に記憶／構成されているＡＰＮを比較することによって、トラフィックがインターネット行きとなるかどうかを判定する。そうであるなら、構成ユニット５０９は、自身所有のＩＰアドレスプール５１１からの特定のＩＰアドレスに差し替えることを含め、図４Ｂに示されているものと同様のプロセスを行う。制御カード５０１によってセットアップされた構成に基づき、それぞれのラインカードのパケットルータ機能ブロックは、対応するデータパケットを、３ＧＰＰパケットコアネットワークを迂回しながら、例えばインターフェース５０７を介して直接インターネットに経路決めするように構成される。そうではなく、構成ユニット５０９が、パケットは３ＧＰＰパケットコアネットワーク向けに宛先指定されていると判定した場合、パケットルータは、当該パケットを、例えばインターフェース５０８を介して３ＧＰＰパケットコアネットワークに経路決めすることになる。
【００４２】
制御カード５０１の機能性の幾つかは、ラインカードに委譲又は複製されていてもよいことに留意されたい。例えば、データベース５１２の特定の情報は、ラインカード５０２−５０４に複製されて、ラインカード５０２−５０４内の記憶場所（図示せず）に記憶されていてもよい。また、図５に示されている構成要素の幾つか又は全ては、ハードウェア、ソフトウェア、又は両者の組合せに実装されていてもよいことに留意されたい。
【００４３】
上述のソリューションでは、輸送経路とＩＡＯ−ＧＷが構成されることのみが必要となり、他のノードはまったく影響を受けない。当該ソリューションは、運営者がブレイクアウトすると決めたＡＰＮにのみ適用される。即ち、或る特定のＡＰＮは、ＩＡＯ構成を変更することによって、ＩＡＯ−ＧＷ内で特化的に有効にもされ無効にもされ得るということである。他の全てのＡＰＮ及びサービスは、移動性、課金、及びローミングなどに関して全く影響を受けない。オペレーション、パケットコアノード、経路決め、又はユーザー体験（例えば透明性）には一切変更が必要ない。ここに記載されているソリューションは、如何なる移動パケットコアとも巧く機能する。ブレイクアウト用に構成されているＡＰＮでは、ユーザー体験とオペレーションの殆どは同じままである。ここに記載されているソリューションで使用されている機構の殆どは、既に、３ＧＰＰによって標準化されている。現行の３ＧＰＰ移動ネットワークアーキテクチャ及びオペレーションにする脅威は一切ない。
【００４４】
ここに記載されているソリューションは同様に、移動性を、それが今日３ＧＰＰ運営者ネットワークでサポートされているように完全にサポートする。移動性の型式にもよるが、ＲＮＣ又はＳＧＳＮは、移動性のための制御アンカーとして働き続け、移動性は、運営者のネットワークへの如何なる衝撃もなしにＩＡＯ−ＧＷに対し透過的にサポートされる。
【００４５】
また、ＩＡＯ−ＧＷに構成されるＡＰＮは局所的なブレイクアウトのみを対象としているため、外行きローミングは、ここに記載のソリューションには全く影響されない。入ってくるローミングに関しては、運営者が内部ローミング利用者のブレイクアウトを望まないのであれば、ＩＡＯ−ＧＷでローミングＡＰＮは構成されない。トラフィックは、３ＧＰＰ仕様に則ってＳＧＳＮで取り扱われ、ユーザー体験又はネットワークオペレーションには何らの衝撃もない。運営者が、内部ローミング利用者について局所的なブレイクアウトを望むなら、対応するローミングＡＰＮがＩＡＯ−ＧＷ内に構成される。ＩＡＯ−ＧＷは、内部ローミング利用者用のこのＡＰＮについて局所的なブレイクアウトを提供する。課金は、３ＧＰＰローミングの実践に則って実施される。
【００４６】
ワイルドカードＡＰＮは、非インターネットブレイクアウトＡＰＮと同じに取り扱われ、全てのトラフィックは透過的にＳＧＳＮに中継される。
【００４７】
以上、ユーザー機器（ＥＡ）からのＲＡＮ経由インターネット行きトラフィックについて３ＧＰＰパケットコアネットワークを迂回するための技法をここに記載した。これまでの詳細な説明のうち幾つかの部分は、コンピュータメモリ内のデータビットに対するオペレーションのアルゴリズム及び記号表現の観点から提示した。これらのアルゴリズム的記述及び表現は、データ処理技術分野の当業者が、彼らの研究の実態を、同技術分野の他の当業者に最も効果的に伝えるために使用するやり方である。アルゴリズムは、ここでは、そして一般的には、所望の結果に導くオペレーションの自己矛盾のないシーケンスであると考えられる。オペレーションは物理的量の物理的操作を要するものである。必ずしもというわけではないが、大抵は、これらの量は、記憶する、転送する、組み合わせる、比較する、又は別のやり方で操作することができる、電気的又は磁気的な信号の形態をとっている。場合によっては、主に共通使用を理由に、これらの信号を、ビット、値、要素、記号、文字、用語、数など、として言及するのが都合がよいことが判っている。
【００４８】
しかしながら、これら及び類似の用語の全ては、適切な物理的量に関連付けられるものであって、これらの量に適用される単に便宜上の標示であることを念頭に置くべきである。以上の考察から自明のこととして別途特に指定のない限り、本説明全体を通じて、「処理する」、「演算する」、「計算する」、「判定する」、「表示する」など、の様な用語を用いている考察は、コンピュータシステム又は類似の電子演算デバイスの行為及び／又はプロセスであって、コンピュータシステムのレジスタ及び／又はメモリ内で物理的（電子的）量として表現されているデータを、コンピュータシステムのメモリ、レジスタ、又は他のその様な情報を記憶、伝送、又は表示するデバイス内で同様に物理的量として表現される他のデータへと操作及び／又は変換する、行為及びプロセスを指すものと理解されたい。
【００４９】
本発明の実施形態は、ここでのオペレーションを行うための装置にも関する。装置は、要求されている目的のために特別に作られていてもよいし、又は装置は、コンピュータに記憶されているコンピュータプログラムによって選択的にアクティブにされ又は再構成される汎用コンピュータを備えていてもよい。その様なコンピュータプログラムはコンピュータ読み取り可能媒体に記憶されていてもよい。機械読み取り可能媒体は、情報を機械（例えば、コンピュータ）が読み取ることのできる形式で記憶又は伝送するための如何なる機構をも含む。例えば、機械読み取り可能（例えば、コンピュータ読み取り可能）媒体は、機械（例えば、コンピュータ）読み取り可能記憶媒体（例えば、読み取り専用メモリ（「ＲＯＭ」）、ランダムアクセスメモリ（「ＲＡＭ」）、磁気ディスク記憶媒体、光記憶媒体、フラッシュメモリデバイスなど）、機械（例えば、コンピュータ）読み取り可能伝送媒体（電気的、光学的、音響学的、又は他の形態の伝搬信号（例えば、搬送波、赤外線信号、デジタル信号など））などを含む。
【００５０】
ここに提示されているアルゴリズム及び表示は、本質的には、如何なる特定のコンピュータ又は他の装置にも関係付けられない。様々な汎用システムがここでの教示によるプログラムと共に使用されてもよいであろうし、又は必要な方法のオペレーションを行うためにより特化された装置を作るのが都合がよいと判明するかもしれない。各種のこれらのシステムに求められる構造は、以上の説明から見えてくるであろう。また、本発明の実施形態は、何ら特定のプログラミング言語に関連付けて説明されているわけではない。ここに記載されている本発明の実施形態の教示を実施するのに、各種プログラミング言語を使用することができるということが理解されるであろう。
【００５１】
以上の明細書では、本発明の実施形態を、その特定の例示となる実施形態に関連付けて説明してきた。それらには、以下の特許請求の範囲に示されている本発明のより広範な精神及び範囲から逸脱することなく、様々な修正を加えることができることは明白となるであろう。本明細書及び図面は、従って、限定を課すというよりむしろ例示目的の意味で受けとめられたい。
【符号の説明】
【００５２】
２００  システム
２０１、４０１  ユーザー機器（ＵＥ）
２０２、４０２  ラジオネットワークコントローラ（ＲＮＣ）
２０３  ラジオアクセスネットワーク（ＲＡＮ）
２０４、４０４  サービングＧＰＲＳサポートノード（ＳＧＳＮ）
２０５、４０５  ゲートウェイＧＰＲＳサポートノード（ＧＧＳＮ）
２０６  ３ＧＰＰパケットコアネットワーク
２０７  インターネット
２０８  運営者サービスノード
２０９  ホームロケーションレジスタ（ＨＬＲ）
２１５、４０３、５００  インターネットアクセスオフロードゲートウェイ（ＩＡＯ−ＧＷ）
５０１  制御カード
５０２、５０３、５０４  ラインカード
５０５  メッシュ
５０６、５０７、５０８  インターフェース
５０９  構成ユニット
５１０  パケット検閲部
５１１  ＩＰアドレスプールデータベース
５１２  構成データベース
５１３、５１４、５１５  ルータ
５１６  ユーザーインターフェース
【図１】
2011530267.tif 000003
【図２】
2011530267.tif 000004
【図３】
2011530267.tif 000005
【図４Ａ】
2011530267.tif 000006
【図４Ｂ】
2011530267.tif 000007
【図５】
2011530267.tif 000008
【国際調査報告】
2011530267.tif 000009
2011530267.tif 000010
2011530267.tif 000011